(57)【要約】【課題】本発明はスライダを備えたカード用コネクタに関し、カードをスライダのロック用板ばねを強引に押すように斜めに挿入する操作を行った場合に、スライダのロック用板ばねが永久変形を起さないようにすることを課題とする。【解決手段】カバー３０には、切り起して、カード挿入ガイドレール部１００が、形成してある。カード挿入ガイドレール部１００は、挿入されるカード１０を案内して、挿入されるカード１０がロック用板ばね５０を強引に変形させる方向に変位することを制限する。ハウジング本体２２には、大きく変位しようとするロック部５２を受ける受け用突起部１１０が形成してある。ロック用板ばね５０には、ロック部５２より張り出たラグ部１２０が形成してあり、ハウジング本体２２には、スリット１３０が形成してあり、ロック部５２が大きく変位しようとしたときに、スリット１３０の壁面１３３が、ラグ部１２０を受ける。【選択図】図７
2009259761.tif 000002
【特許請求の範囲】
【請求項１】
コンタクトを有するハウジング本体と、前記ハウジング本体を覆うカバーと、カードイジェクト位置とカード装着位置との間で前記ハウジング本体に移動可能に設けてあるスライダとを有し、
前記ハウジング本体と前記カバーとが、カード挿入口及びカード収容部を形成してなり、
前記スライダは、スライダ本体と該スライダ本体に取り付けてありカードを弾性的にロックするロック用板ばねとを有し、前記カード挿入口を通って前記カード収容部に到る前記カードと共に前記カード装着位置に移動され、前記ロック用板ばねが前記カードを弾性的にロックし、且つ、イジェクト操作によって前記ロック用板ばねが前記カードと弾性的にロックされた状態を維持しつつ前記カードと共に前記カード挿入口の方向に前記カードイジェクト位置に移動される構成であるカード用コネクタであって、
前記カードが正常でない状態で挿入されて前記ロック用板ばねが過度に撓まされようとした場合に、前記ロック用板ばねがこれに永久変形が起きてしまう程度にまで過度に撓むことを制限するロック用板ばね過度撓み制限手段を有するカード用コネクタ。
【請求項２】
前記ロック用板ばね過度撓み制限手段は、前記カバーの一部を前記ハウジング本体の方向に折り曲げて形成してあり、前記カードが前記ロック用板ばねを過度に撓ます方向に変位しないように前記カードの挿入を案内するカード挿入ガイドレールを有する請求項１に記載のカード用コネクタ。
【請求項３】
前記ロック用板ばね過度撓み制限手段は、前記ハウジング本体に形成してあり、前記ロック用板ばねが過度に撓まされる方向に変位しないように前記ロック用板ばねを受ける受け突起部を有する請求項１に記載のカード用コネクタ。
【請求項４】
前記ロック用板ばね過度撓み制限手段は、前記ロック用板ばねより前記ハウジング本体の方向に突き出たラグ部と、前記ハウジング本体に前記ラグ部の移動経路に沿うように形成してあるスリットとを有し、前記ロック用板ばねが過度に撓まされる方向に変位しないように、前記スリットの壁面が前記ラグ部を受ける請求項１に記載のカード用コネクタ。
【請求項５】
前記スリットは、前記スライダが前記カード装着位置よりも奥側の最終位置に位置しているときの前記ラグ部に対応する部位に、前記ロック用板ばねにその軸線の方向に圧縮力が作用した場合に前記ロック用板ばねが座屈を起こさないように、前記ラグ部が入り込むことを許容する凹部を有する請求項４に記載のカード用コネクタ。
【請求項６】
前記ロック用板ばね過度撓み制限手段は、前記スライダ本体に、前記ロック用板ばねが収まり且つ前記ロック用板ばねが撓む範囲を制限するように形成してある溝部を有する請求項１に記載のカード用コネクタ。
【請求項７】
前記ロック用板ばねは、前記スライダ本体に取り付けられて、前記カード挿入口の方向に延在しており、
前記ロック用板ばねの先端には、前記カード収容部の側に折り曲げられ、更に、該スライダ本体の方向に折り返えされた片部によって形成され、且つ、該片部の先端と前記ロック用板ばねとの間に隙間を有する、ロック部を有する、請求項１に記載のカード用コネクタ。
【請求項８】
前記ロック用板ばね過度撓み制限手段は、前記スライダ本体に一体に形成してあり、前記ロック用板ばねの途中の箇所を受ける腕状の突き出し部である、請求項１に記載のカード用コネクタ。
【請求項９】
前記ロック用板ばねの途中の箇所は、前記ロック部より該スライダ本体の側の箇所である、請求項８に記載のカード用コネクタ。
【請求項１０】
前記ハウジング本体は、前記スライダが前記カード装着位置に位置しているときに、前記突き出し部に対向して前記突き出し部が撓むことを制限するリブ部を有する、請求項８記載のカード用コネクタ。
【発明の詳細な説明】
【技術分野】
【０００１】
本発明はカード用コネクタに係り、特に、携帯電話機等に組み込まれて使用され、メモリカードが装着されるカード用コネクタに関する。
【背景技術】
【０００２】
ディジタルカメラ、携帯オーディオ機器、携帯電話機等は、情報記憶媒体として、半導体記憶素子が内蔵してある構成であるメモリカードが利用可能な構造となっている。最近では通常のメモリカードよりの小さいサイズであるメモリカードが提供されており、この小型のメモリカードが装着可能であるメモリカード用コネクタも提供されている。
【０００３】
この小型のメモリカードは、特に、携帯電話機の機能の拡大に対応するべく、開発されたものであり、小型のメモリカード用コネクタは、携帯電話機に組み込まれて使用されつつある。
【０００４】
携帯電話機は、利用者が持ち歩く、折り畳み操作を行う、データ読み取り装置に接触させる等して種々の場面で使用される。このため、小型メモリカードの小型メモリカード用コネクタへの装着、抜き出しも、いろいろな状況でなされる。また、小型メモリカードは一辺の長さが１０ｍｍ程度と短く、人によっては取り扱いがし難い程度にサイズが小さい。このため、小型メモリカード用コネクタについては、従来のメモリカード用コネクタの場合に比べて、種々の面に配慮したきめ細かい設計が必要となる。
【０００５】
通常、小型メモリカード用コネクタは、通常、内部にスライダが設けてある構成である。スライダは、小型メモリカードの側面側の凹部を弾性的にロックする板ばねを備えており、ハートカム機構を利用したロック機構によって小型メモリカード用コネクタの内部にロックされ、且つ、ばねにより小型メモリカード用コネクタより突き出る方向に付勢されている構成である。小型メモリカードは、ロックされているスライダの板ばねにより弾性的にロックされた状態で、小型メモリカード用コネクタ内に装着してある。なお、装着状態にあっては、小型メモリカードのパッドの小型メモリカード用コネクタのコンタクトとの摩擦力も、小型メモリカードを装着状態に維持するように働いている。小型メモリカードをイジェクトする場合には、利用者がその手の指先で小型メモリカードを一旦押し込んで離す操作を行うことによって、スライダがロックを解除されてばね力でもって移動され、小型メモリカードがスライダと共に移動されて、小型メモリカードの一部が挿入口より突き出る状態となる。小型メモリカードの一部が挿入口より突き出たイジェクト状態では、小型メモリカードは、スライダの板ばねによって弾性的にロックされた状態で小型メモリカード用コネクタに保持されている。その後に、利用者が小型メモリカードのうち挿入口より突き出ている部分を指先で掴んで引くことによって、小型メモリカードはスライダとの弾性的ロックを解除されて、引き抜かれる。
【０００６】
ここで、小型メモリカードはサイズが小さくて厚さが薄いものであるため、装着状態及びイジェクト状態における、スライダの小型メモリカードに対するロック力（保持力）は強くしにくい状況にある。
【特許文献１】特開２００５−３５１８８４号公報
【発明の開示】
【発明が解決しようとする課題】
【０００７】
このため、スライダの板ばねが永久変形して撓んでしまった場合には、装着状態及びイジェクト状態におけるスライダの小型メモリカードに対するロック力が減少し、小型メモリカードが小型メモリカード用コネクタより外に飛び出して落下してしまうことが起きる虞れがある。装着状態で衝撃等によって小型メモリカードがロック力に抗して無用にイジェクトされると、携帯電話機の通信に障害を起してしまう。また、小型メモリカードは小さいので、落下すると状況によっては紛失してしまう虞もある。
【０００８】
従来の小型メモリカード用コネクタは、小型メモリカードの挿入が正常に行われている場合には、スライダの板ばねが永久変形して撓むことが起きないように構成してある。
【０００９】
しかし、小型メモリカードの挿入が正常でない場合、例えば、小型メモリカードを斜め方向に挿入した場合等を十分に考慮した構成とはなっていない。なお、小型メモリカードの中には、挿入方向の先端側の幅が小型メモリカード用コネクタのカード挿入口の幅よりも少し狭いものもあり、この種の小型メモリカードでは、小型メモリカードを斜め方向に挿入する操作が起きる可能性が高い。
【００１０】
そこで、本発明は、上記課題を解決したカード用コネクタを提供することを目的とする。
【課題を解決するための手段】
【００１１】
本発明は、コンタクトを有するハウジング本体と、前記ハウジング本体を覆うカバーと、カードイジェクト位置とカード装着位置との間で前記ハウジング本体に移動可能に設けてあるスライダとを有し、
前記ハウジング本体と前記カバーとが、カード挿入口及びカード収容部を形成してなり、
前記スライダは、スライダ本体と該スライダ本体に取り付けてありカードを弾性的にロックするロック用板ばねとを有し、前記カード挿入口を通って前記カード収容部に到る前記カードと共に前記カード装着位置に移動され、前記ロック用板ばねが前記カードを弾性的にロックし、且つ、イジェクト操作によって前記ロック用板ばねが前記カードと弾性的にロックされた状態を維持しつつ前記カードと共に前記カード挿入口の方向に前記カードイジェクト位置に移動される構成であるカード用コネクタであって、
前記カードが正常でない状態で挿入されて前記ロック用板ばねが過度に撓まされる場合に、前記ロック用板ばねがこれに永久変形が起きてしまう程度にまで過度に撓むことを制限するロック用板ばね過度撓み制限手段を有することを特徴とする。
【発明の効果】
【００１２】
ロック用板ばね過度撓み制限手段を有することによって、ロック用板ばねが過度に撓まされることが起こりうるカードが正常でない状態で挿入された場合であっても、ロック用板ばねが過度に撓まされることが起きず、よって、ロック用板ばねに永久変形が起きず、これにより、ロック用板ばねによるカードをロックするロック力が無用に低下することを防止することが出来る。
【発明を実施するための最良の形態】
【００１３】
次に発明を実施するための最良の形態について説明する。
【実施例１】
【００１４】
図１は本発明の実施例１になるマイクロＳＤカード（商標）用のコネクタ２０を、カバーを省略して、且つマイクロＳＤカード（商標、以下カードという）１０と対応させて示す斜視図である。図示の便宜上、スライダ４０は装着位置に位置している。図２はコネクタ２０を分解して示す斜視図である。図３（Ａ）はコネクタ２０をカバーの箇所で切断して示す横断平面図、図３（Ｂ）は図３（Ａ）中、線IIIB-IIIBに沿う縦断正面図、図３（Ｃ）は図３（Ａ）中、線IIIC-IIICに沿う縦断側面図である。各図中、Ｘ１−Ｘ２は幅方向、Ｙ１−Ｙ２は長手方向、Ｚ１−Ｚ２は厚さ（高さ）方向である。Ｙ１はカード１０を挿入して装着する方向であり、Ｙ２はカード１０がイジェクトされる方向である。また、カード１０についてみると、Ｙ１側は先端であり、Ｙ２側は後端である。
【００１５】
カード１０は、上面１１、下面１２、先端１３、後端１４を有し、内部にＩＣメモリを有し、先端１３の近くの下面にパッド（図示せず）が並んでおり、Ｘ１側の側面に、凸部１５と凹部１６とを有する形状である。１７Ｘ１は先端１３とＸ１側の側面１８Ｘ１との間のコーナ部であり、１７Ｘ２は先端１３とＸ２側の側面１８Ｘ２との間のコーナ部である。先端１３の幅Ｗ１の寸法は、後端１４の幅Ｗ２の寸法より短い。
【００１６】
[カード用コネクタ２０の概略構造]
説明の便宜上、最初にカード用コネクタ２０について概略的に説明する。
【００１７】
カード用コネクタ２０は、コネクタハウジング２１と、スライダ４０と、圧縮コイルばね６０と、ハートカム機構６５とを有し、Ｙ２端にカード挿入口７０を有する。カード挿入口７０の幅Ｗ３の寸法は、カード１０の後端１４の幅Ｗ２と等しい寸法であり、カード１０の先端１３の幅Ｗ１よりも長い寸法である。
【００１８】
コネクタハウジング２１は、複数のコンタクト２３が整列して固定されている合成樹脂製のハウジング本体２２と、ハウジング本体２２の上面側を覆う金属板製のカバー３０とよりなる。ハウジング本体２２とカバー３０とによって、カードが挿入されるカード挿入口７０と挿入されて装着されたカードが収容されるカード収容部７１とが形成してある。
【００１９】
カバー３０は、ハウジング本体２２に固定してあり、ハウジング本体２２を覆っている。カバー３０には、スライダ４０を押さえる板ばね片３０ｃ、後述するリンク部材５１を押さえる板ばね片３０ｄ等が形成してある。
【００２０】
スライダ４０は、合成樹脂製であって略Ｌ字形状のスライダ本体４２と、このスライダ本体４２に固定してあるロック用板ばね５０とよりなる。このスライダ本体４２は、Ｘ２方向に肩状に張り出ている張り出し部４３と、Ｙ２方向の端よりＸ２方向に腕状に突き出ており、挿入されるカード１０の先端１３を受けるカード受け部４４と、Ｙ２方向の端寄りの上面に形成してあるハートカム溝４５とを有する。板ばね５０は、スライダ本体４２よりＹ２方向に突き出ている片持ち梁状の板ばね部５１と、その先端側のロック部５２とを有する。板ばね部５１はＸ１−Ｘ２方向に弾性的に撓み変形可能であり、ロック部５２は、板ばね部５１の先端をＸ２側に折り曲げ、折り返して、Ｘ２方向に突き出た三角形状とされたものであり、板ばね部５１の弾性的撓みを伴ってＸ１方向に変位可能である。ロック部５２は、カード収容部７１のＸ１側に突き出ている。張り出し部４３は凸部１５と対向するように、ロック部５２は凹部１６を係止するように夫々形成してある。
【００２１】
このスライダ４０は、ハウジング本体２２の内側のうちＸ１側に、ハウジング本体２２の上面２５とカバー３０の下面との間の空間に、ガイド溝２６に沿ってＹ１，Ｙ２方向にスライド可能に、組み込まれている。スライダ４０のＹ２側の端面４０ａは、位置Ｐ１と位置Ｐ３との間で移動可能である。位置Ｐ１はカード未装着状態における位置、位置Ｐ２は、カード１０が装着されたときのカード装着位置である。なお、位置Ｐ１は、Ｙ２方向にスライドするスライダ４０の最終位置であり、端面４０ａが、ハウジング本体２２の立ち上げ面２８に突き当たる位置であり、カードイジェクト位置である。張り出し部４３は、位置Ｓ１と位置Ｓ３との間で移動する。
【００２２】
スライダ４０は、圧縮コイルばね６０と、リンク部材６１と共に組み込まれている。圧縮コイルばね６０は、溝２７に組み込んである。スライダ４０は圧縮コイルばね６０によってＹ２方向に位置Ｐ２に移動されている。リンク部材６１のＹ２端はハウジング本体２２に係止してあり、リンク部材６１のＹ１端はハートカム溝４５に嵌合してある。ハートカム溝４５とリンク部材６１とによってハートカム機構６５が構成してある。
【００２３】
[カード１０を正常に挿入した場合のカード装着動作]
ここで、正常に挿入とは、正規の方向からの挿入の意味である。正規の方向とは、カード用コネクタ２０のＹ１−Ｙ２方向に延在する中心線の方向である。
【００２４】
なお、スライダ４０はカードイジェクト位置Ｐ１に位置している。
【００２５】
カード１０の装着は以下に記載するように行われる。カード１０の位置は、カード１０の後端１４の位置で示す。図４はカード１０の装着を説明するための図である。
【００２６】
カード１０を装着する操作は、利用者がカード１０をカード挿入口７０内に挿入し、指先で後端１４を最終位置まで押し込む操作を行うことによってなされる。
【００２７】
カード１０はカード挿入口７０内に挿入されて、図４（Ａ）に示すように、先端１３が腕部４４に当接し、凸部１５が張り出し部４３に当接した位置Ｑ１まで挿入されると、ロック部５２と凹部１６とが係合される。
【００２８】
続いて、カード１０は指先で図４（Ｂ）に示す最終位置Ｑ３まで押し込まれる。スライダ４０はカード１０によって押されて圧縮コイルばね６０を圧縮しつつＹ１方向に最終位置Ｐ３(Ｓ３)までカード１０と共に移動される。最後に指先をカード１０から離すと、スライダ４０は圧縮コイルばね６０によってＹ２方向に移動され、ハートカム機構６５によってロックされるカード装着位置Ｐ２（Ｓ２）で停止し、カード１０は位置Ｑ２まで戻されて停止し、カード１０は装着された状態となる。図４（Ｃ）、図５はカード１０が装着された状態を示す。カード１０は、ロック部５２と凹部１６との弾性的係止によってスライダ４０にロックされており、最終的には、カード用コネクタ２０にロックされている。また、パッドはコンタクト２３と接触している。
【００２９】
[カードイジェクト操作及び動作]
カード１０のイジェクトは、指先でカード１０を一旦押し込み、指先をＹ２方向に戻す操作を行ってなされる。図６はカード１０のイジェクトを説明するための図である。
【００３０】
指先でカード１０を押し込むと、カード１０は位置Ｑ３まで押し込まれ、スライダ４０がカード１０と共にＹ１方向に最終位置Ｐ３にまで移動され、図６（Ａ）に示すようになる。ハートカム機構６０はロックが解除された状態となる。指先をＹ２方向に戻すと、スライダ４０が圧縮コイルばね５０のばね力によってカード挿入口７０の方向に移動され、カード１０は、スライダ４０のカード受け部４４によって押されて、スライダ４０と共にＹ２方向に移動される。スライダ４０は、ロック部５２が凹部１６をロックした状態を維持しつつ、図６（Ｂ）に示すように、スライダ４０は端面４０ａがハウジング本体２２の立ち上げ面２８に突き当たるカードイジェクト位置Ｐ１（Ｓ１）までカード１０と共に移動し、カード１０は、前記の位置Ｑ１まで戻される。
【００３１】
カード１０は、ロック部５２と凹部１６との弾性的係止によってスライダ４０にロックされており、最終的には、カード用コネクタ２０にロックされている。
【００３２】
その後に、利用者がカード１０の後端１４の側を指先で掴んで引くことによって、ロック部５２に凹部１６からＸ１方向に押し出す力が作用し、板ばね部５１が強制的に撓まされてロック部５２が凹部１６から抜け出し、ロック部５２と凹部１６との弾性的係止が解除されて、引き抜かれる。
【００３３】
[カード１０を正常でない状態で挿入した場合に、板ばね部５１にカード収容部７１より外側の方向（Ｘ１方向）に永久変形が起きないようにするための構成]
ここで、正常でない状態で挿入とは、図１７（Ａ）に示すように、カード１０を、Ｘ−Ｙ面上であって、カード用コネクタ２０のＹ１−Ｙ２方向に延在する中心線に対して角度をなす斜め方向からであって、ロック部５２がカード収容部７１より外側（Ｘ１方向）に過度に変位するように、板ばね部５１を強引に撓ませる方向に挿入することである。
【００３４】
次に、カード１０を正常でない状態で挿入した場合に、板ばね５０に永久変形が起きないように過度に撓むことを制限するための構成について、図７乃至図１９を参照して説明する。
【００３５】
図７は、図３（Ａ）中、線VIIで囲んだ部分の拡大図、図８は、図３（Ｂ）中、線VIIIで囲んだ部分の拡大図、図９は、図３（Ｃ）中、線IXで囲んだ部分の拡大図である。
【００３６】
図１０はスライダ４０をカード１と対応させて示す斜視図である。
【００３７】
図１１はハウジング本体２２のうちスライダ４０がスライドする部分を示す斜視図である。
【００３８】
図１２は図７に示す構成部分の斜視図、即ち、スライダ４０がカードイジェクト位置に位置しているときの状態を示す斜視図である。
【００３９】
図１３はカード用コネクタ２０のうちＸ１側であってカード挿入口７０の近くの部分を拡大して示す斜視図である。
【００４０】
図１４及び図１５は、スライダ４０が装着位置に移動されたときの状態を示す斜視図である。図１６はスライダ４０がカード装着位置に移動されたときのカード用コネクタ２０をその底面側から見上げて示す斜視図である。
【００４１】
カード用コネクタ２０は、カード１０を正常でない状態で挿入した場合に、板ばね部５１に永久変形が起きないようにするために板ばね部５１が過度に撓まされることを制限する、以下の４つの過度撓み制限構造を有する。
【００４２】
[第１の過度撓み制限構造（カード挿入ガイドレール部１００）]
図７、図９及び図１３に示すように、カバー３０には、Ｘ１側寄りの箇所に、Ｚ２方向に切り起して、カード挿入ガイドレール部１００が形成してある。カード挿入ガイドレール部１００は、カードイジェクト位置Ｐ１に位置するスライダ４０の板ばね部５１のＺ１側に、Ｙ１−Ｙ２方向に延在しており、長さＬを有する。
【００４３】
また、カード挿入ガイドレール部１００は、図７に示すように、カードイジェクト位置Ｐ１に位置するスライダ４０のロック部５２よりも少しカード挿入口７０側の位置と、スライダ本体４１の張り出し部４３の肩部４３ａよりもＹ１側の位置との間に延在している。
【００４４】
また、図９に示すように、カード挿入ガイドレール部１００は、板ばね５０の高さ位置よりもＺ１側に位置してあり、板ばね５０とは干渉しない。また、カード挿入ガイドレール部１００の切り起しの寸法は、ハウジング本体２２のＺ１側の上面とカード挿入ガイドレール部１００のＺ２側の端との間の寸法Ａが、カード１０の厚さＴよりも短いように定めてある。
【００４５】
このカード挿入ガイドレール部１００は、図１７（Ａ）に示すように、カード１０がカード挿入口７０に斜めの向きで挿入された場合に、カードのコーナ部１７Ｘ１を受け止めて、それ以上にカード１０によって板ばね部５１がＸ１方向に押されることを制限し、板ばね部５１が過度に撓まされることを制限する。
【００４６】
[第２の過度撓み制限構造（受け突起部１１０）]
図１１に示すように、ハウジング本体２２には、カード挿入口７０に近い位置に、受け用突起部１１０が形成してある。図１２に併せて示すように、受け用突起部１１０は、イジェクト位置Ｐ１に位置するスライダ４０の板ばね部５１のＸ１側の面のうち、ロック部５２より少しＹ１側に偏倚した位置に設けてある。後述するように、カード１０がカード挿入口７０に斜めの向きで挿入された場合に、カード１０のコーナ部１７Ｘ１がロック部５２をＸ１方向に押す動作は、スライダ４０がイジェクト位置よりＹ１方向に少し移動した状態でなされるからである（図１７（Ｂ）参照）。
【００４７】
受け用突起部１１０は、後述する図１７（Ｂ）に示すように、カード１０がカード挿入口７０に斜めの向きで挿入されて、ロック部５２がカードのコーナ部１７Ｘ１によって押されてＸ１方向に過度に変位されようとするときに、ロック部５２を受け止めて変位を制限し、板ばね部５１が過度に撓まされることを制限する。
【００４８】
[第３の過度撓み制限構造（ロック部５２より下方（Ｚ２方向）に突き出たラグ部１２０と、ハウジング本体２２に形成してあるスリット部１３０）]
図１０に示すように、ラグ部１２０は、ロック部５２より下方（Ｚ２方向）に突き出ている。
【００４９】
図１１に示すように、ハウジング本体２２には、ラグ部１２０の移動経路に沿うスリット部１３０がＹ１−Ｙ２方向に延在して形成してある。
【００５０】
なお、スリット部１３０は、Ｙ２方向の端の箇所にＸ１方向に広がった凹部１３１を有し、且つ、Ｙ１側の箇所にＸ１方向に広がった凹部１３２を有する。
【００５１】
凹部１３１、１３２の箇所を除いて、スリット部１３０のＸ１側の縁の壁面１３３は、ラグ部１２０のＸ１側の面と対向している。１３３ａは、壁面１３３のうち、受け用突起部１１０に対応する部分の壁面である。
【００５２】
例えば図１９（Ｂ）に示すように、カード１０がカード挿入口７０に斜めの向きで挿入されて、ロック部５２がカード１０の側面１８Ｘ１によって押されてＸ１方向に過度に変位されようとするときに、スリット部１３０の壁面１３３がラグ部１２０を受け止めて、ロック部５２がそれ以上にＸ１方向に変位することを制限し、板ばね部５１が過度に撓まされることを制限する。
【００５３】
[第４の過度撓み制限構造（スライダ本体４１の壁面１４１）]
図７、図１０、図１４、図２７（Ａ）に示すように、スライダ４０は、スライダ本体４１に板ばね５０の基部５３が固定してある構成である。板ばね５０は基部５３よりＹ２方向に延在している板ばね部５１を有する。スライダ本体４１は、溝部１４０を有する。溝部１４０は、Ｙ１−Ｙ２方向に延在し、板ばね部５１がゆるく収まる大きさである。板ばね部５１は溝部１４０内を延在している。壁面１４１は溝部１４０のＸ１側の壁面であり、板ばね部５１のＸ１側の面と対向している。
【００５４】
この壁面１４０は、例えば図１７（Ｂ）に示すように、カード１０がカード挿入口７０に斜めの向きで挿入されて、ロック部５２がカードのコーナ部１７Ｘ１によって押されてＸ１方向に過度に変位されようとするときに、板ばね部５１を受け止めて変位を制限し、板ばね５０が過度に撓まされることを制限する（図２７（Ｂ）参照）。
【００５５】
また、カード用コネクタ２０は、座屈発生回避構造を有する。座屈発生回避構造は、以下に記載するように、カード１０を正常でない姿勢で挿入して、板ばね５０にこれを座屈させる、軸線方向の圧縮力が作用した場合に、板ばね５０が座屈を起すことを制限する。
【００５６】
[座屈発生回避構造（スリット部１３０のＹ１側の箇所のＸ１方向に広がった凹部１３２）]
図１１、図１５、図１６に示すように、凹部１３２は、スリット部１３０のうち、スライダ４０がカード装着位置Ｐ２より少しＹ１側の最終位置Ｐ３にあるときのラグ部１２０に対応する位置に形成してある。
【００５７】
このスリット部１３０は、後述するように、カード１０が正常でない状態で挿入され、スライダ４０がロック部５２をカード１０によって押されてカード装着位置Ｐ２を越えて最終位置Ｐ３にまで移動されときに、ロック部５２がＸ１方向へ変位することを許容するように形成してある。ロック部５２がＸ１方向へ変位することによって、板ばね部５１が座屈することが回避される（図２７（Ｂ）参照）。
【００５８】
[上記の過度撓み制限構造及び座屈発生回避構造の動作]
次に、カード１０を正常でない状態で挿入した場合に、上記の過度撓み制限構造及び座屈発生回避構造が、板ばね部５１に永久変形が起きないように行う動作について説明する。
【００５９】
＜カード１０を正常でない状態で挿入した第１の態様＞
カード用コネクタ２０のカード挿入口７０の幅Ｗ３の寸法がカード１０の先端１３の幅Ｗ１よりも長い寸法であることによって、カード１０が図１７（Ａ）に示すように斜めの向きで挿入されることが起こりうる。以下、この挿入を「斜め入れ」という。
【００６０】
操作者がカード１０を図１７（Ａ）に示すように斜め入れした場合には、通常は、例えば、図１７（Ｂ）、図１８（Ａ），（Ｂ）、図１９（Ａ），（Ｂ）、図２０（Ａ）に示す状態を経て、図２０（Ｂ）に示す状態となり、その後に装着される。
【００６１】
図１７（Ｂ）に示すように、カード挿入ガイドレール部１００がカード１０のコーナ部１７Ｘ１を受け、以後は、図１８（Ａ）に示すように、カード１０のコーナ部１７Ｘ１がカード挿入ガイドレール部１００によって案内されつつ移動され、図１８（Ｂ）に示すように、カード１０のコーナ部１７Ｘ１がスライダ本体４１の肩部４３ａに到り、以後は、図１９（Ａ），（Ｂ）、図２０（Ａ）に示すように、カード１０のコーナ部１７Ｘ１がスライダ４０をＹ１方向に押して移動させ、スライダ４０は図２０（Ｂ）に示す最終位置Ｐ３まで移動される。
【００６２】
その後、カード１０のコーナ部１７Ｘ１が肩部４３ａを滑り降り、カード１０は図５に示すように装着される。
【００６３】
なお、カード１０のコーナ部１７Ｘ１がスライダ本体４１の張り出し部４３の肩部４３ａに係止されたままである場合には、カード１０はそれ以上は挿入が出来なくなり、装着は不成功に終わり、操作者はカード１０を引き抜いて再度装着を試みることになる。
【００６４】
カード１０が上記のように挿入された場合に、カード１０の挿入の状況に応じて、前記の第１乃至第４の過度撓み制限構造が動作する。
【００６５】
以下、これについて説明する。
【００６６】
[第１の過度撓み制限構造の動作]
図２１はスライダ４０がイジェクト位置Ｐ１に位置しているときにロック部５２にＸ１方向に強い力Ｆ１を作用させた場合の板ばね部５１の変形の状態を示す。この状態は、操作者が図１８（Ｂ）に示すように、カード１０を斜め入れして、カード１０のコーナ部１７Ｘ１がロック部５２を押した場合に発生する。
【００６７】
図２１（Ａ）は、初期の状態である。カード１０のコーナ部１７Ｘ１のＸ１方向への変位は、コーナ部１７Ｘ１がカード挿入ガイドレール部１００に当たった位置に制限される。よって、板ばね部５１のＸ１方向への撓み量は、初期の状態においてロック部５２がカード挿入ガイドレール部１００よりＸ２方向に突き出ている寸法Ｂに制限される。板ばね部５１のロック部５２の付近の部分のＸ１方向への撓みは、図２１（Ｂ）に示すように、制限され、弾性限度以下であり、力Ｆ１が解除されると、板ばね部５２は元の直線状に復元する。なお、ロック部５２及びラグ１２０は共に凹部１３１内に入り込んでＸ１方向に変位する。
【００６８】
また、カード挿入ガイドレール部１００は、図１９（Ａ）、図２０（Ａ）に示すように、挿入されるカード１０のコーナ部１７Ｘ１及び凸部１５等を案内する役割も有する。
【００６９】
[第２の過度撓み制限構造の動作]
図２２はスライダ４０がイジェクト位置よりＹ１方向に少し移動した状態でロック部５２にＸ１方向に強い力Ｆ２を作用させた場合の板ばね部５１の変形の状態を示す。この状態は、操作者がカード１０の斜め入れを開始した直後、例えば、図１７（Ｂ）に示す状態と図１８（Ａ）に示す状態との間で発生する。
【００７０】
図２２（Ａ）は、板ばね部５１が撓む前の状態である。ロック部５２のＸ１方向への変位は、ロック部５２が受け突起部１１０に受け止められ、同時にラグ１２０が壁面１３３ａに受け止められることによって、図２２（Ｂ）に示す状態で制限される。板ばね部５１のＸ１方向への撓みは、図２２（Ｂ）に示す状態に制限され、弾性限度以下であり、力Ｆ２が解除されると、板ばね部５１は元の直線状に復元する。
【００７１】
[第３の過度撓み制限構造の動作]
図２３はスライダ４０が図２２に示す位置よりＹ１方向に更に移動した状態でロック部５２にＸ１方向に強い力Ｆ３を作用させた場合の板ばね部５１の変形の状態を示す。この状態は、操作者がカード１０の斜め入れを行っている間、例えば図１９（Ｂ）に示す状態で発生する可能性がある。
【００７２】
図２３（Ａ）は、板ばね部５１が撓む前の状態である。ロック部５２のＸ１方向への変位は、ラグ１２０が壁面１３３に受け止められることによって、図２３（Ｂ）に示す状態で制限される。板ばね部５１のＸ１方向への撓みは、図２３（Ｂ）に示す状態に制限され、弾性限度以下であり、力Ｆ３が解除されると、板ばね部５１は元の直線状に復元する。
【００７３】
なお、ロック部５２のＸ１方向への変位も制限されているため、ロック部５２がカード１０の凹部１６から抜け出さないで凹部１６内に留まっている。
【００７４】
[第４の過度撓み制限構造の動作]
図２４（Ａ）は、板ばね部５１が撓む前の状態である。ロック部５２にＸ１方向に力Ｆ４が作用させた場合、板ばね部５１は図２４（Ｂ）に示すように撓む。板ばね部５１は、溝部１４０の出口部分において、壁面１４１に当たってそれ以上に撓むことを制限される。板ばね部５１のＸ１方向への撓みは、弾性限度以下であり、力Ｆ４が解除されると、板ばね部５１は元の直線状に復元する。
【００７５】
[カード１０の挿入の状態とこのときに働く過度撓み制限構造との関係]
ここで、カード１０の挿入の状態とこのときに働く過度撓み制限構造との関係について説明する。
【００７６】
カード１０が図１７（Ｂ）に示すように挿入されたときには、第２の過度撓み制限構造が働く。
【００７７】
カード１０の挿入状態が図１８（Ａ）に示すようになっても、第２の過度撓み制限構造が働き続ける。
【００７８】
カード１０の挿入状態が図１８（Ｂ）に示す状態となると、第１及び第４の過度撓み制限構造が働き始め、第１、第２及び第４の過度撓み制限構造が働く。この状態は、カード１０の挿入状態が図１９（Ａ）に示す状態となっても継続する。
【００７９】
カード１０の挿入状態が図１９（Ｂ）に示す状態となると、第４の過度撓み制限構造と第３の過度撓み制限構造とが働く。
【００８０】
カード１０の挿入状態が図２０（Ａ）に示す状態となると、第1の過度撓み制限構造が働く。カード１０の挿入状態が図２０（Ｂ）に示す状態となっても、第1の過度撓み制限構造が働き続ける。
【００８１】
＜カード１０を正常でない状態で挿入した第２の態様＞
カード１０を正常でない状態で挿入したときに、カード挿入ガイドレール部１００に沿うコーナ部１７Ｘ１がロック部５２を乗り越えないで、図２５（Ａ）に示すようにロック部５２を押してＹ１方向に挿入され、図２５（Ｂ）に示すように、カード１０は姿勢は修正されたがＸ１側に寄せられた状態にあり、スライダ４０は装着位置Ｐ２を越えて最終位置Ｐ３まで移動され、図２６に示すように、カード１０が更にＹ１方向に押し込まれようとしている状態となる。
【００８２】
また、前記の図１７乃至図１９に示すカード１０の斜めの向き挿入によってスライダ４０が装着位置でロックされてしまっており、この状態で、カード１０を再度斜め入れしたときにも、図２５（Ａ）に示す状態となる。
【００８３】
カード１０が上記のように挿入された場合に、図２５（Ａ）に示す状態では、第１、第４及び第３の過度撓み制限構造が働き、図２５（Ｂ）及び図２６に示す状態では、前記の座屈発生回避構造が働く。
【００８４】
[座屈発生回避構造の動作]
以下、座屈発生回避構造の動作について説明する。
【００８５】
図２７（Ａ）は、板ばね部５１が撓む前の状態である。コーナ部１７Ｘ１の丸みの形状及びロック部５２のＸ２方向に突き出た三角形の形状により、図２６に示す状態では、ロック部にはＹ１方向に、即ち、板ばね部５１の軸線の方向に、強い圧縮力Ｆ５が作用することに加えて、Ｘ１方向の力Ｆ６が作用する。
【００８６】
ラグ部１２０のＸ１側には凹部１３２が形成してあり、ラグ部１２０が凹部１３２内に入り込むことによって、ロック部５２がＸ１の方向に変位が可能な状態にある。
【００８７】
よって、上記の力Ｆ５と力Ｆ６とが作用した場合に、ロック部５２がＸ１の方向に変位されて、板ばね部５１が撓み、板ばね部５１が座屈することは起きない。このときの板ばね部５１のＸ１方向への撓みは、弾性限度以下であり、力Ｆ５と力Ｆ６が解除されると、板ばね部５１は元の直線状に復元する。
【００８８】
よって、本実施例のカード用コネクタ２０は、カード１０を斜め入れ等の正常でない状態で挿入した場合にも、板ばね部５１が永久変形を起すことが回避される。よって、本実施例のカード用コネクタ２０は、使用者がカードの挿入を正常でない状態で行った場合にも、また、この操作を繰り返した場合であっても、装着状態におけるメモリカードの小型メモリカード用コネクタに対する保持力及びイジェクト状態におけるメモリカードの小型メモリカード用コネクタに対する保持力は、使用開始時の状態に維持され、小型メモリカードが小型メモリカード用コネクタより外に飛び出して落下してしまうことが回避される。
【００８９】
また、上記の第３の過度撓み制限構造をなすラグ部１２０及びスリット部１３０は、装着されているカード１０の無用な離脱を制限する機能も有する。即ち、図１４及び図１５に示すように、スライダ４０がカード装着位置Ｐ２に位置しているときにも、ラグ部１２０は壁面１３３に対向しており、ロック部５２はＸ１方向への変位を制限されている。よって、装着されているカード１０を無理に引き抜こうとしても、ロック部５２は装着状態におけるカード１０の凹部１６から押し出されることがなく、カード１０はロック状態に維持され、無用に離脱することが制限される。
【実施例２】
【００９０】
図２８は本発明の実施例２になるマイクロＳＤカード用のコネクタ２０Ａを示す斜視図である。図２９（Ａ）は図２８のコネクタ２０Ａの平面図、図２９（Ｂ）は図２９（Ａ）中、Ｂ−Ｂ線に沿う拡大断面図である。図３０は、カバーを取り外した状態で、図２８中、円XXXで囲んだ部分を拡大して示す図である。図３１はスライダ４０Ａを示す。図３２（Ａ），（Ｂ）はカバー３０Ａを示す。
【００９１】
カード用コネクタ２０Ａは、図１乃至図２７に示すカード用コネクタ２０と実質上同じ構成であり、カード用コネクタ２０の構成部分と同じ構成部分には同じ符号を付し、カード用コネクタ２０の構成部分と構成が相違する部分には、カード用コネクタ２０の構成部分に付した符号に添字Ａを付した記号を付す。
【００９２】
カード用コネクタ２０Ａは、ハウジング本体２２Ａと、スライダ４０Ａと、圧縮コイルばね（図示せず）と、ハートカム機構６５と、カバー３０Ａとを有し、Ｙ２方向の端にカード挿入口７０を有する。
【００９３】
カバー３０Ａは、カード挿入ガイドレール部１００Ａを有し、ハウジング本体２２Ａを覆っている。
【００９４】
スライダ４０Ａは、図３１に示すように、スライダ本体４２Ａと、このスライダ本体４２Ａに固定してあるロック用板ばね５０Ａとよりなる。
【００９５】
板ばね５０Ａは、スライダ本体４２ＡよりＹ２方向に突き出ている片持ち梁状の板ばね部５１Ａと、その先端側のロック部５２Ａとを有する。ロック部５２Ａは、板ばね部５１Ａの先端をＸ２側に折り曲げ、更にはＹ１方向に折り返して、Ｘ２方向に半円形に突き出た形状である。ロック部５２Ａを形成する半円形の片部２００は、Ｙ２端のつなぎ部２０１で板ばね部５１Ａの先端に固定してあり、半円形の片部２００の先端２００ａと板ばね部５１ＡのＸ２側の面との間には、意図的に形成した寸法ｇの隙間２０２が存在している。この片部２００は、片持ち梁の状態にあり、先端２００ａが板ばね部５１Ａに当たるまで、つなぎ部２０１を中心にＸ１方向に弾性変形が可能である。
【００９６】
板ばね５０Ａは、板ばね部５１Ａに加えて、ロック部５２Ａ自体がバネ性を有している。
【００９７】
スライダ本体４２Ａは、張り出し部４３のＸ１側の部分よりＹ２方向に突き出ている腕状の突き出し部２１０を有する。突き出し部２１０は、板ばね部５１Ａの直ぐＸ１側に位置し、板ばね部５１Ａに沿って存在している。突き出し部２１０は、幅がＷ１０であり、Ｙ２方向の先端がＸ１−Ｘ２方向に撓む少しのバネ性を有している。突き出し部２１０は、先端に、先端部２１１を有する。先端部２１１の幅はＷ１１であり、上記のＷ１０より大きく、突き出し部２１０よりＸ１側とＸ２側との両方向に張り出ている。先端部２１１のＸ２側の面２１１Ｘ２は、板ばね部５１Ａのうち、ロック部５２Ａより少しＹ１方向に偏倚した箇所で、接触している。
【００９８】
突き出し部２１０は、ロック部５２ＡにＸ１方向に強い力が作用した場合に、板ばね部５１Ａの途中の箇所を支えて、板ばね部５１ＡがＸ１方向に過度に撓むことを制限する役割を有する。この板ばね部５１Ａの途中の箇所は、ロック部５２Ａよりスライダ本体４２Ａの側に偏倚した箇所である。
【００９９】
５１Ａａは、板ばね部５１Ａのうち上記の腕部２１０の先端部２１１よりＹ２方向に突き出ている自由端腕部であり、長さＬ１０を有する。
【０１００】
カード未装着状態では、スライダ４０Ａは、図３０に示す位置Ｐ１に位置しており、ロック部５２Ａはカード挿入口７０の近くに位置している。Ｚ方向では、図２９（Ｂ）に示すように、ロック部５２Ａはカード挿入ガイド部１００ＡよりＺ２側に位置している。
【０１０１】
図３３はスライダ４０ＡがＹ１方向に最終位置Ｐ３まで移動されたときの状態を示す。図３４はスライダ４０Ａがカード装着位置Ｐ２に位置しているときの状態を示す。
【０１０２】
ハウジング２２Ａには、リブ部２３０が、カード装着位置Ｐ２に位置するスライダ４０Ａの腕部２１０の先端部２１１のＸ１側の面２１１Ｘ１に対向する位置に形成してある。
【０１０３】
次に、カード１０を正常に挿入した場合、及び、カード１０を正常に取り出す場合における、ロック部５２Ａ等の動作について説明する。
【０１０４】
カード１０を正常に挿入した場合、ロック部５２Ａが凸部１５によって押されて一時的にＸ１方向へ変位され、その後にＸ２方向に復元して、凹部１６に嵌合する。ロック部５２Ａが凸部１５によって押されてＸ１方向へ変位されるときに、図３１に二点鎖線で示すように、自由端腕部５１Ａａと共に片部２００が弾性的に撓み、更には、突き出し部２１０も弾性的に少し撓む。
【０１０５】
イジェクトされた状態で、利用者がカード１０の後端１４の側を指先で掴んで引くときにも、ロック部５２は凹部１６からＸ１方向に押し出され、一時的にＸ１方向へ変位され、その後にＸ２方向に復元する。この場合にも、前記と同様に、自由端腕部５１Ａａと共に片部２００が弾性的に撓み、更には、突き出し部２１０も弾性的に少し撓む。
【０１０６】
ここで、弾性的に撓む部分が、自由端腕部５１Ａａと、片部２００と、突き出し部２１０とに分散されており、撓む部分にかかる負担は少なくて済んでいる。
【０１０７】
次に、カード１０を正常でない状態で挿入した場合等に、板ばね５０Ａに永久変形が起きないように過度に撓むことを制限する動作について説明する。
【０１０８】
＜カード１０を斜め入れした場合＞
例えば図１７に示すようにカード挿入口７０に斜めの向きで挿入されたカード１０はロック部５２ＡをＸ１方向に押す。しかし、カード挿入ガイドレール部１００が斜めの向きで挿入されたカード１０を受け止め、カード１０はそれ以上のＸ１方向への変位を制限され、板ばね部５１ＡはＸ１方向への過度の撓みが制限される。
【０１０９】
なお、カード挿入ガイドレール部１００は、挿入されていく間に、カード１０の斜めの向きを補正する役割、及び、カード１０を誤って後端１４を先頭にして挿入する操作をした場合に、カード１０の挿入を制限する役割を有する。
【０１１０】
＜例えば、カード１０が最終位置まで押し込まれ、スライダ４０Ａが図３３に示す最終位置Ｐ３に移動された状態で、ロック部５２ＡがＸ１方向の力Ｆ１０を作用された場合＞
板ばね部５１Ａのうちロック部５２Ａより少しＹ１側の箇所が、突き出し部２１０の先端部２１１の面２１１Ｘ２によって受け止められ、板ばね部５１ＡがＸ１方向へ過度に撓むことが制限される。なお、このとき、突き出し部２１０自身も少し撓む。
【０１１１】
また、ロック部５２Ａの片部２００が弾性的に撓み、ロック部５２Ａ自身も上記の力Ｆ１０の一部を吸収する。
【０１１２】
なお、突き出し部２１０による上記の機能は、カード１０が最終位置まで押し込まれた場合の他に、カード１０の挿入側の先端がカード挿入ガイドレール部１００を通り過ぎた後であって、カード１０が最終位置に到る前の状態でも発揮される。
【０１１３】
＜カード１０が装着され、スライダ４０Ａが図３４に示すカード装着位置Ｐ２に位置する状態で、ロック部５２ＡがＸ１方向の力Ｆ１１を作用された場合＞
上記の力Ｆ１１は、例えば、装着されているカード１０を無理に引き抜こうとした場合に発生する。
【０１１４】
基本的には、上記の場合と同様に、板ばね部５１Ａのうちロック部５２Ａより少しＹ１側の箇所が、突き出し部２１０の先端部２１１の面２１１Ｘ２によって受け止められ、板ばね部５１ＡはＸ１方向への撓みが制限される。
【０１１５】
ここで、図３４に示す状態では、突き出し部２１０の先端部２１１のＸ１側の面２１１Ｘ１がハウジング２２Ａのリブ部２３０に対向しており、突き出し部２１０自身がＸ１方向へ撓むことを制限された状態となる。
【０１１６】
このため、突き出し部２１０だけで力を受けていた場合には、力が突き出し部２１０が撓んでしまうほどに強い場合であっても、リブ部２３０によって突き出し部２１０自身がＸ１方向へ撓むことを制限され、板ばね部５１ＡはＸ１方向への撓みが制限される。
【０１１７】
このため、装着されているカード１０に対するロック力が強くなり、カード１０を無理に引き抜こうとしても引き抜けず、無用なカード離脱が制限される。また、携帯電話を落としたりして衝撃が作用した場合にも、カード１０が無用に離脱されてしまうことが制限される。
【０１１８】
[カード挿入検出スイッチ２５０]
図３５はカード１０が挿入されたことを検出するスイッチ２５０を示す。この検出スイッチ２５０は、カード用コネクタ２０ＡのうちＸ２側であって且つＹ１方向の端の近くに設けてあり、図３６（Ａ）に併せて示すように、第１のコンタクト部３０Ａｅと、第２のコンタクト部２５１ａとを有する。
【０１１９】
第１のコンタクト部３０Ａｅは、図３２（Ａ），（Ｂ）に示すように金属板製のカバー３０Ａの一部を延在させて形成してある部分であり、図３６（Ａ）に示すように、基部側の腕部３０Ａｅ１と、中間部３０Ａｅ２と、先端側の指部３０Ａｅ３を有する。
【０１２０】
Ｚ１側から見て、腕部３０Ａｅ１は、Ｙ１−Ｙ２線に対して時計方向に角度α（約１０度）傾斜して略Ｙ１方向に延在している。
【０１２１】
中間部３０Ａｅ２は、腕部３０Ａｅ１の先端より反時計方向に角度β（約６０度）曲っている部分である。
【０１２２】
指部３０Ａｅ３は、中間部３０Ａｅ２の先端よりＹ１方向に延在している。３０Ａｅ４は指部３０Ａｅ３の端部である。
【０１２３】
腕部３０Ａｅ１と中間部３０Ａｅ２とは、Ｘ１方向に凸となる山形形状をなしている。３０Ａｅ５は山形形状の頂上部である。
【０１２４】
第２のコンタクト部２５１ａは、ハウジング本体２２ＡのＹ１側の部分に固定してあるコンタクト部材２５１の一端側の部分であり、上記の指部３０Ａｅ３よりＸ２側の位置にあり、Ｙ２方向に延在しており、直線状である。
【０１２５】
指部３０Ａｅ３と第２のコンタクト部２５１ａとの間には、寸法ｇ１０のギャップ２５２が存在している。
【０１２６】
第２のコンタクト部２５１ａの根元から指部３０Ａｅ３の端部３０Ａｅ４が最初に接触する予定の位置Ｕ１までの寸法はＬ１０であり、比較的長い。よって、位置Ｕ１にＸ２方向の力が作用したときに第２のコンタクト部２５１ａはＸ２方向に撓み易くなっている。
【０１２７】
第１のコンタクト部３０ＡｅのうちＸ２方向の力が作用する位置は、後述するように頂上部３０Ａｅ５である。第１のコンタクト部３０Ａｅのうち力が作用する位置よりも先端側に存在する中間部３０Ａｅ２及び指部３０Ａｅ３は略Ｌ字形となっており、且つ、指部３０Ａｅ３は短いため、指部３０Ａｅ３は、第２のコンタクト部２５１ａに比べて、撓み難くなっている。
【０１２８】
次に、カード１０が挿入されたときの検出スイッチ２５０の動作について説明する。
【０１２９】
カード用コネクタ２０Ａがプリント回路基板に実装されて例えば携帯電話機に組み込まれた状態で、カバー３０Ａはグランド電位となり、第１のコンタクト部３０Ａｅはグランド電位となっている。コンタクト部材２５１の他端は、制御回路に至る配線パターンの端のパッドと半田付けされており、第２のコンタクト部２５１ａは上記の制御回路と電気的に接続された状態となる。
【０１３０】
図３６（Ａ）はカード１０が挿入される前の状態である。第１のコンタクト部３０Ａｅの指部３０Ａｅ３と第２のコンタクト部２５１ａとは、ギャップ２５２を間において対向しており、検出スイッチ２５０はオフである。
【０１３１】
カード１０がカード用コネクタ２０Ａに挿入されると、図３６（Ｂ）に示すように、コーナ部１７Ｘ２が腕部３０Ａｅ１に当たって、腕部３０Ａｅ１がＸ２方向に撓まされ、指部３０Ａｅ３の端部３０Ａｅ４が第２のコンタクト部２５１ａのＸ１側の面２５１ｂに、位置Ｕ１で接触する。この時点で、検出スイッチ２５０はオンとなる。
【０１３２】
カード１０は、図３６（Ｃ）に示す最終位置（図４に符号Ｑ３で示す位置）まで挿入される。カード１０が図３６（Ｂ）に示す位置を経て最終位置まで挿入される過程で、図３６（Ｃ）に示すように、側面１８Ｘ２が山形形状の頂上部３０Ａｅ５をＸ２方向に押し、第１のコンタクト部３０ＡｅをＸ２方向に撓ませる。第２のコンタクト部２５１ａは指部３０Ａｅ３によってＸ２方向に押されて、Ｘ２方向に角度γ撓まされる。この過程で、指部３０Ａｅ３の端部３０Ａｅ４が第２のコンタクト部２５１ａの面２５１ｂを擦りつつＹ２方向に位置Ｕ２まで移動し、以後は、指部３０Ａｅ３の端部３０Ａｅ４が第２のコンタクト部２５１ａの位置Ｕ２の箇所を押し付けた状態を維持する。検出スイッチ２５０はオンを維持する。
【０１３３】
ここで、中間部３０Ａｅ２及び指部３０Ａｅ３は殆ど撓まないで、専ら第２のコンタクト部２５１ａが撓むため、第１のコンタクト部３０Ａｅの先端部分と第２のコンタクト部２５１ａとの双方が同程度に撓む場合に比較して、位置Ｕ１から位置Ｕ２までの距離
Ｌ１１（ワイピング量）は長くなって、約０．１ｍｍもの長さとなる。
【０１３４】
カード１０がカード用コネクタ２０Ａからイジェクトされると、図３６（Ｃ）の状態の検出スイッチ２５０は、図３６（Ｂ）に示す状態を経て図３６（Ａ）に示す状態となり、オフとなる。図３６（Ｃ）の状態から図３６（Ｂ）に示す状態となる過程で、指部３０Ａｅ３の端部３０Ａｅ４は第２のコンタクト部２５１ａの面２５１ｂを擦りつつＹ１方向に位置Ｕ１まで戻る。
【０１３５】
よって、カード１０を装着する操作及びイジェクトする操作を行う度に、図３６（Ｃ）に拡大して示すように、第２のコンタクト部２５１ａの面２５１ｂのうち、位置Ｕ１と位置Ｕ２との間の領域２５１ｃは拭かれてクリーニングされ、同時に、指部３０Ａｅ３の端部３０Ａｅ４もクリーニングされる。ここで、一般に、ワイピング量が長い程、クリーニング効果は高い。カード用コネクタ２０Ａはワイピング量が約０．１ｍｍと長いため、領域２５１ｃのクリーニング効果は高い。
【０１３６】
ここで、カード用コネクタは携帯電話機の側面に露出して組み込まれて使用されるため、塵埃の多い雰囲気に曝され続け、塵埃がコンタクトに付着し易く、コンタクトに付着した塵埃によって導通が取れなくて、カード１０を装着したときに検出スイッチがオンとならない虞れもある。しかし、上記の構成の検出スイッチ２５０の場合には、カード１０を装着する操作及びイジェクトする操作を行う度に、コンタクト部のうち接触し合う部分がクリーニングされ、クリーンな状態を回復するため、検出スイッチ２５０は確実にオンとなる。よって、上記の構成の検出スイッチ２５０を備えたカード用コネクタ２０Ａは、携帯電話機のような塵埃に注意が必要な製品に最適である。
【図面の簡単な説明】
【０１３７】
【図１】本発明の実施例１になるカード用コネクタを、カバーを省略して、且つカードを併せて示す斜視図である。
【図２】図１に示すカード用コネクタを分解して、カードと併せて示す斜視図である。
【図３】本発明の実施例１になるカード用コネクタを示す図であり、（Ａ）はカバーの位置で断面して示す横断平面図、（Ｂ）は（Ａ）中、線IIIB-IIIBに沿う縦断正面図、（Ｃ）は（Ａ）中、線IIIC-IIICに沿う縦断側面図である。
【図４】カード装着動作を示す図である。
【図５】カードが装着された状態を示す、カード用コネクタの横断平面図である。
【図６】カードイジェクト動作を示す図である。
【図７】図３（Ａ）中、線VIIで囲んだ部分の拡大図である。
【図８】図３（Ｂ）中、線VIIIで囲んだ部分の拡大図である。
【図９】図３（Ｃ）中、線IXで囲んだ部分の拡大図である。
【図１０】スライダをカードと対応させて示す斜視図である。
【図１１】ハウジング本体のうちスライダがスライドする部分を示す斜視図である。
【図１２】図７に示す構成部分の斜視図である。
【図１３】カード用コネクタのうちＸ１側であってカード挿入口の近くの部分を拡大して示す斜視図である。
【図１４】スライダがカード装着位置に移動されたときの状態を示す斜視図である。
【図１５】スライダがカード装着位置に移動されたときの状態を、図１４とは異なる方向より見て示す斜視図である。
【図１６】スライダが最終位置に移動されたときのカード用コネクタを底面側から見て示す斜視図である。
【図１７】カード用コネクタにカードを斜めの向きで挿入した第１の態様を示す図である。
【図１８】図１７（Ｂ）に続く状態を示す図である。
【図１９】図１８（Ｂ）に続く状態を示す図である。
【図２０】図１９（Ｂ）に続く状態を示す図である。
【図２１】（Ａ）は第１の過度撓み制限構造の示す図、（Ｂ）は第１の過度撓み制限構造が働いている状態を示す図である。
【図２２】（Ａ）は第２の過度撓み制限構造の示す図、（Ｂ）は第２の過度撓み制限構造が働いている状態を示す図である。
【図２３】（Ａ）は第３の過度撓み制限構造の示す図、（Ｂ）は第３の過度撓み制限構造が働いている状態を示す図である。
【図２４】（Ａ）は第４の過度撓み制限構造の示す図、（Ｂ）は第４の過度撓み制限構造が働いている状態を示す図である。
【図２５】カード用コネクタにカードを斜めの向きで挿入した第２の態様を示す図である。
【図２６】図２５（Ｂ）に続く状態を示す図である。
【図２７】（Ａ）は座屈発生回避構造の示す図、（Ｂ）は座屈発生回避構造が働いている状態を示す図である。
【図２８】本発明の実施例２になるカード用コネクタを、カードと併せて示す斜視図である。
【図２９】（Ａ）はカード用コネクタの平面図、（Ｂ）は（Ａ）中、Ｂ−Ｂ線に沿う拡大断面図である。
【図３０】カバーを取り外した状態で、図２８中、円XXXで囲んだ部分を拡大して示す図である。
【図３１】スライダを拡大して示す斜視図である。
【図３２】カバーを示す斜視図である。
【図３３】スライダ最終位置に移動されたときの状態を示す図である。
【図３４】スライダがカード装着位置に移動されたときの状態を示す図である。
【図３５】マイクロＳＤカード挿入検出スイッチの部分を示す斜視図である。
【図３６】検出スイッチの動作を説明するための図であり、（Ａ）はカード挿入前の状態を示す図、（Ｂ）はカード挿入途中の状態を示す図、（Ｃ）はカード装着完了時の状態を示す図である。
【符号の説明】
【０１３８】
１０  カード
１６  凹部
２０  カード用コネクタ
２１  コネクタハウジング
２２  ハウジング本体
３０  カバー
４０  スライダ
４２  スライダ本体
４３  張り出し部
４４  腕部
４５  ハートカム溝
５０  板ばね
５１、５１Ａ  板ばね部
５１Ａａ  自由端腕部
５２、５２Ａ  ロック部
６０  圧縮コイルばね
６５  ハートカム機構
１００  カード挿入ガイド部
１１０  受け突起部
１２０  ラグ部
１３０  スリット部
１３２  凹部
１３３  壁面
１４０  溝部
１４１  壁面
２００  片部
２１０  張出し部
２１１  先端部
２５０  マイクロＳＤカード挿入検出スイッチ
３０Ａｅ  第１のコンタクト部
２５１ａ  第２のコンタクト部
【図１】
2009259761.tif 000003
【図２】
2009259761.tif 000004
【図３】
2009259761.tif 000005
【図４】
2009259761.tif 000006
【図５】
2009259761.tif 000007
【図６】
2009259761.tif 000008
【図７】
2009259761.tif 000009
【図８】
2009259761.tif 000010
【図９】
2009259761.tif 000011
【図１０】
2009259761.tif 000012
【図１１】
2009259761.tif 000013
【図１２】
2009259761.tif 000014
【図１３】
2009259761.tif 000015
【図１４】
2009259761.tif 000016
【図１５】
2009259761.tif 000017
【図１６】
2009259761.tif 000018
【図１７】
2009259761.tif 000019
【図１８】
2009259761.tif 000020
【図１９】
2009259761.tif 000021
【図２０】
2009259761.tif 000022
【図２１】
2009259761.tif 000023
【図２２】
2009259761.tif 000024
【図２３】
2009259761.tif 000025
【図２４】
2009259761.tif 000026
【図２５】
2009259761.tif 000027
【図２６】
2009259761.tif 000028
【図２７】
2009259761.tif 000029
【図２８】
2009259761.tif 000030
【図２９】
2009259761.tif 000031
【図３０】
2009259761.tif 000032
【図３１】
2009259761.tif 000033
【図３２】
2009259761.tif 000034
【図３３】
2009259761.tif 000035
【図３４】
2009259761.tif 000036
【図３５】
2009259761.tif 000037
【図３６】
2009259761.tif 000038